(57)【要約】【課題】障子の引き残しが無いように設置されても、障子を容易に引き出し可能な建具を提供する。【解決手段】建具は、上枠、下枠及び左右の縦枠を枠組みして構成される枠体と、枠体内で左右方向にスライド可能に設けられた障子と、を備え、障子は、上框、下框、戸先框３３及び召合框を枠組みして構成される框体を有し、戸先框３３には、左右の縦枠のうち戸先框３３側に配置された戸先框側縦枠に対向する対向面３３３ｃ，３５４ｃに、縦枠側に配置された端面３５３ａよりも、対向する縦枠側に突出する引手５００が設けられていることを特徴とする。【選択図】図７
2019178501.tif 000002
【特許請求の範囲】
【請求項１】
上枠、下枠及び左右の縦枠を枠組みして構成される枠体と、
該枠体内で左右方向にスライド可能に設けられた障子と、を備え、
該障子は、
上框、下框、戸先框及び召合框を枠組みして構成される框体を有し、
前記戸先框には、前記左右の縦枠のうち前記戸先框側に配置された戸先框側縦枠に対向する対向面に、引手が設けられていることを特徴とする建具。
【請求項２】
前記引手は、前記戸先框における前記戸先框側縦枠に最も近接する面よりも、前記戸先框側縦枠側に突出するように配置されている請求項１に記載の建具。
【請求項３】
前記戸先框は、屋外側に配置され金属で形成された金属戸先框、及び該金属戸先框と連結され屋内側に配置され樹脂で形成された樹脂戸先框で構成され、
前記樹脂戸先框には、前記戸先框側縦枠に対向する端面から前記召合框側に向かって切りかかれた切欠き部が設けられ、
前記引手は、前記切欠き部に設けられ、金属製の把持可能な引手本体を有する請求項１または２に記載の建具。
【請求項４】
前記引手は、前記引手本体を覆う樹脂製の引手カバー部を有する請求項３に記載の建具。
【請求項５】
前記引手は、前記戸先框の上下方向の一部にのみ設けられている請求項１から４のいずれか一項に記載の建具。
【請求項６】
前記枠体は、前記左右の縦枠の間に配置される方立を有し、
前記障子の全開状態において、前記戸先框は、屋内側から見て前記方立の屋外側に隠れ
ている請求項１から５のいずれか一項に記載の建具。
【発明の詳細な説明】
【技術分野】
【０００１】
本発明は、建具に関するものである。
【背景技術】
【０００２】
従来から、建築物の開口部に設置される建具として、開口部に固定される枠体と、枠体内に左右方向にスライド開閉可能に設けられた障子と、を備えた引き戸が知られている（下記の特許文献１参照）。
【先行技術文献】
【特許文献】
【０００３】
【特許文献１】特開２０１０−２８５８３６号公報
【発明の概要】
【発明が解決しようとする課題】
【０００４】
引き戸において、通行幅（有効開口幅）を大きく確保するためには、障子の全開時に引き残しを無しとする（障子を戸袋等の壁の端面よりも奥側まで引き込む）設計とすることがある。この場合、障子に設けられた引手が壁で隠れてしまい、障子を戸袋等から取り出しにくくなってしまうという問題点がある。
【０００５】
そこで、本発明は、上記事情に鑑みてなされたものであり、障子の引き残しが無いように設置されても、障子を容易に引き出し可能な建具を提供する。
【課題を解決するための手段】
【０００６】
上記目的を達成するために、本発明は以下の手段を採用している。
すなわち、本発明に係る建具は、上枠、下枠及び左右の縦枠を枠組みして構成される枠体と、該枠体内で左右方向にスライド可能に設けられた障子と、を備え、該障子は、上框、下框、戸先框及び召合框を枠組みして構成される框体を有し、前記戸先框には、前記左右の縦枠のうち前記戸先框側に配置された戸先框側縦枠に対向する対向面に、引手が設けられていることを特徴とする。
【０００７】
このように構成された建具では、障子の戸先框には、戸先框側縦枠に対向する対向面に引手が設けられている。よって、全開時に障子の引き残しが無いように設置されても、使用者は戸先框の対向面に配置された引手に手をかけることができるため、障子を容易に引き出すことができる。
【０００８】
また、本発明に係る建具は、前記引手は、前記戸先框における前記戸先框側縦枠に最も近接する面よりも、前記戸先框側縦枠側に突出するように配置されていることが好ましい。
【０００９】
このように構成された建具では、引手は、戸先框における戸先框側縦枠側に最も近接する面よりも、戸先框側縦枠側に突出するように配置されている。よって、全開時に障子の引き残しが無いように設置されても、使用者は引手に確実に手をかけることができるため、障子を容易に引き出すことができる。
【００１０】
また、本発明に係る建具では、前記戸先框は、屋外側に配置され金属で形成された金属戸先框、及び該金属戸先框と連結され屋内側に配置され樹脂で形成された樹脂戸先框で構成され、前記樹脂戸先框には、前記戸先框側縦枠に対向する端面から前記召合框側に向かって切りかかれた切欠き部が設けられ、前記引手は、前記切欠き部に設けられ、金属製の把持可能な引手本体を有することが好ましい。
【００１１】
このように構成された建具では、金属戸先框と樹脂戸先框とが連結された建具において、樹脂戸先框に切欠き部を設けて、切欠き部に金属製の引手本体を設けることで、戸先框の端面よりも対向する縦枠側に突出する引手を取り付けることができる。
【００１２】
また、本発明に係る建具では、前記引手は、前記引手本体を覆う樹脂製の引手カバー部を有していてもよい。
【００１３】
このように構成された建具では、引手本体を覆う樹脂製の引手カバー部が設けられているため、引手を把持した際の感触を良好とすることができる。
【００１４】
また、本発明に係る建具では、前記引手は、前記戸先框の上下方向の一部にのみ設けられていてもよい。
【００１５】
このように構成された建具では、引手は戸先框の上下方向の一部にのみ設けられているため、引手が目立たず、外観がよい。
【００１６】
また、本発明に係る建具は、前記枠体は、前記左右の縦枠の間に配置される方立を有し、前記障子の全開状態において、前記戸先框は、屋内側から見て前記方立の屋外側に隠れ
ていてもよい。
【００１７】
このように構成された建具では、戸先框が屋内側から見て方立の屋外側に隠れて配置されていても、使用者は屋内側から引手に手をかけることができるため、障子を確実に引き出すことができる。
【発明の効果】
【００１８】
本発明に係る建具によれば、障子の引き残しが無いように設置されても、障子を容易に引き出すことができる。
【図面の簡単な説明】
【００１９】
【図１】本発明の一実施形態による建具を屋内側から見た斜視図である。
【図２】本発明の一実施形態による建具を屋内側から見た正面図であり、障子が閉じた状態を示している。
【図３】本発明の一実施形態による建具を屋内側から見た正面図であり、障子が開いた状態を示している。
【図４】本発明の一実施形態による建具の縦断面図である。
【図５】本発明の一実施形態による建具の横断面図であり、障子が閉じて、網戸が開いた状態を示している。
【図６】本発明の一実施形態による建具の横断面図であり、障子が開いて、網戸が閉じた状態を示している。
【図７】図６の引手部分の拡大図である。
【図８】図７よりも上方位置の横断面図の拡大図である。
【図９】本発明の一実施形態による建具の引手部分の斜視図である。
【発明を実施するための形態】
【００２０】
以下、本発明の一実施形態による建築物に設けられる建具の一例として、片引き戸について図１から図９に基づいて説明する。
図１は、本発明の一実施形態による建具を屋内側から見た斜視図である。図２は、本発明の一実施形態による建具を屋内側から見た正面図であり、障子が閉じた状態を示している。図３は、本発明の一実施形態による建具を屋内側から見た正面図であり、障子が開いた状態を示している。なお、図１では、建具が固定される建築物の図示を省略し、建具単独で示している。
図１から図３に示すように、片引き戸（建具）１は、建築物の開口に設けられ、四角形枠状に形成された枠体２と、枠体２に対してスライド可能に設けられた障子３と、を備えている。
【００２１】
以下の説明において、屋外側と屋内側とを結ぶ方向を屋内外方向とし、建築物の開口が壁部を貫通する方向（壁部に対向する方向）から見た際の左側と右側を結ぶ水平方向を左右方向とする。また、片引き戸１を構成する各部材や部品等は、前記開口に設けられている姿勢であるものとして、その姿勢における屋内外方向および左右方向を用いて説明する。左右方向において、障子を閉じる方向を閉鎖方向といい、開く方向を開放方向という。
【００２２】
片引き戸１は、アルミニウムと樹脂の複合のサッシである。枠体２には左右領域のうち一方（本実施形態では屋内側から見て右側）の第１領域の屋内側に躯体Ｋ（図２参照。以下同じ。）が設けられ、他方（屋内側から見て左側）の第２領域の屋内側に屋内外方向に連通する開口部２Ａが形成された外付け構造となっている。
【００２３】
図４は、本発明の一実施形態による建具の縦断面図である。図５は、本発明の一実施形態による建具の横断面図であり、障子が閉じて、網戸が開いた状態を示している。図６は、本発明の一実施形態による建具の横断面図であり、障子が開いて、網戸が閉じた状態を示している。
図４から図６に示すように、枠体２は、全体が矩形状に形成されている。枠体２は、左右方向に延在する上枠２１及び下枠２２と、上枠２１の両端部と下枠２２の両端部とをそれぞれ連結し上下方向に延在する縦枠２３，２４と、左右の縦枠２３，２４どうしの間の左右方向の中間部分に設けられる方立２５と、を有している。本実施形態では、上枠２１、下枠２２、縦枠２３，２４及び方立２５は、それぞれアルミ合金等の金属製である。
方立２５は、上枠２１と下枠２２とのそれぞれの左右方向の中間部分に連結されている。
また、枠体２の屋外側には、網戸５が左右方向に移動可能に設けられている（図５参照）。
【００２４】
図４に示すように、上枠２１は、屋外側に配置され障子３の後述する上框３１を開閉自在に支持する屋外側上枠部２１Ａと、屋内側に配置され開口部２Ａを形成する上枠カバー２１Ｃが取り付けられる屋内側上枠部２１Ｂと、を有している。
【００２５】
屋外側上枠部２１Ａには、屋外側の端面から下方に向けて突出するとともに、左右方向に延びるフランジ形状の網戸レールガイド２１１と、屋内外方向の中間部分から下方に向けて突出するとともに、左右方向に延びるフランジ形状の障子レールガイド２１２と、が設けられている。
【００２６】
屋外側上枠部２１Ａにおける障子レールガイド２１２の屋内側には、上方に凹む上枠凹部２１３が設けられている。上枠凹部２１３には、ダンパー装置６を収納可能な上枠レール間カバー２１Ｅが配置されている。
【００２７】
屋内側上枠部２１Ｂには、複数箇所（３箇所）から下方に向けて突出するとともに、左右方向に延びる上枠カバー２１Ｃの上部を固定するためのフランジ２１４ａ，２１４ｂ，２１４ｃが設けられている。
【００２８】
フランジ２１４ａ，２１４ｂ，２１４ｃは、この順に屋外側から屋内側に配置されている。フランジ２１４ａは、下方に向かうにしたがって次第に屋内側に傾斜するように延びている。フランジ２１４ｂ，２１４ｃは、鉛直下方に向かって延びている。
【００２９】
上枠カバー２１Ｃには、複数箇所（３箇所）から上方に向けて突出する取付片２１６ａ，２１６ｂ，２１６ｃが設けられている。
【００３０】
取付片２１６ａ，２１６ｂ，２１６ｃは、この順に屋外側から屋内側に配置されている。取付片２１６ａは、上方に向かうにしたがって次第に屋外側に傾斜するように延びている。取付片２１６ｂ，２１６ｃは、鉛直上方に向かって延びている。
【００３１】
取付片２１６ａは、上枠２１のフランジ２１４ａに螺子２１７で螺合されている。取付片２１６ｂ，２１６ｃは、それぞれフランジ２１４ｂ，２１４ｃに嵌合されている。このようにして、上枠カバー２１Ｃは、上枠２１に取り付けられている。上枠カバー２１Ｃの下面２１ａは、上述した開口部２Ａの上側の面を構成している。
【００３２】
上枠カバー２１Ｃの屋外側角部には、ヒレ部材２１５が設けられている。ヒレ部材２１５は、屋外側に向かうにしたがって次第に上方に向かって突出している。ヒレ部材２１５は、左右方向の全体にわたって延在している。ヒレ部材２１５は、障子３の後述する上框３１の屋内側面３１ａに接触可能に設けられている。
【００３３】
上枠レール間カバー２１Ｅは、上枠カバー２１Ｃとは別体で設けられている。上枠レール間カバー２１Ｅは、下側に向かって開口する縦断面略コ字状をなしている。上枠レール間カバー２１Ｅは、上枠凹部２１３に係合された状態で上板２１ｃがねじ固定や嵌め合わせ等により上枠凹部２１３の頂板２１３ａに固定されている。
【００３４】
上枠カバー２１Ｃ及び上枠レール間カバー２１Ｅは、合成樹脂等の材料により形成されている。
【００３５】
上枠カバー２１Ｃの下部では、屋内側を向く面に、天井仕上げ材Ｔの端面ｔ１が当接配置されている。上枠カバー２１Ｃの下面２１ａには、屋内側の端部に、アングル配置部４１１が形成されている。アングル配置部４１１は、上枠カバー２１Ｃの延在方向（左右方向）にわたって形成されている。
【００３６】
アングル配置部４１１には、上枠アングル４２０が嵌合されている。上枠アングル４２０は、アングル配置部４１１の延在方向（左右方向）にわたって設けられている。本実施形態では、上枠アングル４２０は、合成樹脂等の材料により形成されている。
【００３７】
上枠アングル４２０は、上枠カバー２１Ｃの下面２１ａから天井仕上げ材Ｔの下面ｔｄにまたがって配置されている。換言すると、上枠カバー２１Ｃと天井仕上げ材Ｔとの境界部は、上枠アングル４２０で覆われている。
【００３８】
下枠２２は、屋外側に配置され障子３の後述する下框３２を開閉自在に支持する屋外側下枠部２２Ａと、屋内側に配置され開口部２Ａを形成する下枠カバー２２Ｃが取り付けられる屋内側下枠部２２Ｂと、を有している。
【００３９】
屋外側下枠部２２Ａには、屋外側の端面から上方に向けて突出するとともに、左右方向に延びるフランジ形状の網戸レールガイド２２１と、屋内外方向の中間部分から上方に向けて突出するとともに、左右方向に延びるフランジ形状の障子レールガイド２２２と、が設けられている。
【００４０】
屋外側下枠部２２Ａにおける障子レールガイド２２２の屋内側には、下方に凹む下枠凹部２２３が設けられている。下枠凹部２２３には、下枠レール間カバー２２Ｅが配置されている。
【００４１】
障子レールガイド２２２の上端部には、障子３の下框３２に設けられる戸車３６が屋内外方向への移動が規制された状態で左右方向に走行可能に載置されている。
【００４２】
屋内側下枠部２２Ｂには、上方に向けて突出するとともに、左右方向に延びる下枠カバー２２Ｃの下部及び側面を固定するためのフランジ２２４が設けられている。
【００４３】
下枠カバー２２Ｃの下部は、ねじ固定や嵌め合わせ等により屋内側下枠部２２Ｂのフランジ２２４に固定されている。下枠カバー２２Ｃの上面２２ａは、開口部２Ａの下側の面を構成している。
【００４４】
下枠カバー２２Ｃの屋外側角部には、ヒレ部材２２５が設けられている。ヒレ部材２２５は、屋外側に向かうにしたがって次第に下方に向かって突出している。ヒレ部材２２５は、左右方向の全体にわたって延在している。ヒレ部材２２５は、障子３の後述する下框３２の屋内側面３２ｂに接触可能に設けられている。
【００４５】
下枠レール間カバー２２Ｅは、下枠カバー２２Ｃとは別体で設けられ、ねじ固定や嵌め合わせ等により下枠凹部２２３に固定されている。
【００４６】
下枠カバー２２Ｃ及び下枠レール間カバー２２Ｅは、合成樹脂等の材料により形成されている。
【００４７】
下枠カバー２２Ｃの上面２２ａには、屋内側に、アングル配置部４４１が形成されている。アングル配置部４４１には、下枠アングル４５０が嵌合されている。アングル配置部４４１及び下枠アングル４５０は、それぞれ上枠カバー２１Ｃに形成されたアングル配置部４１１及び上枠アングル４２０を上下反転させた構成である。下枠アングル４５０の下面は、床仕上げ材Ｆの上面ｆｕに当接配置されている。
【００４８】
図５に示すように、一対の縦枠２３，２４のうち、障子３の後述する戸先框３３に対向する側を第１縦枠（戸先框側縦枠）２３とし、障子３の後述する召合框３４に対向する側を第２縦枠２４として、以下説明する。
【００４９】
第１縦枠２３は、屋外側に配置され障子３の戸先框３３を開閉自在に係止する屋外側枠部２３Ａと、屋内側に配置され開口部２Ａを形成する縦枠カバー２６が取り付けられる屋内側枠部２３Ｂと、を有している。
【００５０】
第１縦枠２３における第２縦枠２４側を向く面（側面）の内側には、閉止状態の障子３を開放方向に向けて押し出す押出し機構４（図１参照）が設けられている。
【００５１】
屋外側枠部２３Ａには、左右方向の開放方向に向けて突出するとともに、上下方向に延びるフランジ２３１が設けられている。屋内側枠部２３Ｂには、左右方向の開放方向に向けて突出するとともに、上下方向に延びる縦枠カバー２６を固定するためのフランジ２３２，２３３が設けられている。フランジ２３２，２３３は、この順に屋外側から屋内側に配置されている。
【００５２】
縦枠カバー２６は、合成樹脂等の材料により形成されている。縦枠カバー２６は、ねじ固定や嵌め合わせ等により第１縦枠２３の屋内側枠部２３Ｂのフランジ２３２，２３３に固定されている。縦枠カバー２６の第２縦枠２４側を向く側面２６ａは、開口部２Ａの左右方向の一方側の面を構成している。
【００５３】
縦枠カバー２６の屋外側角部には、ヒレ部材２６１が設けられている。ヒレ部材２６１は、屋外側に向かって突出している。ヒレ部材２６１は、上下方向の全体にわたって延在している。ヒレ部材２６１は、障子３の後述する戸先框３３の屋内側を向く面３３ａに接触可能に設けられている。
【００５４】
第１縦枠２３および縦枠カバー２６は、屋内側の面で躯体（図示省略）に固定されている。
【００５５】
縦枠カバー２６の屋内側角部には、屋内側に向かって突出する縦枠見切り部２６２が設けられている。
【００５６】
縦枠見切り部２６２は、板状に形成されている。縦枠見切り部２６２は、板厚方向を左右方向に向けて配置されている。縦枠見切り部２６２における開口部２Ａ側を向く面２６２ａは、縦枠カバー２６の側面２６ａに沿って配置されている。縦枠見切り部２６２は、縦枠カバー２６の延在方向（上下方向）にわたって設けられている。
【００５７】
縦枠見切り部２６２における開口部２Ａ側と反対側を向く面には、壁仕上げ材Ｗの端面ｗ１が当接配置されている。
【００５８】
第２縦枠２４は、屋外側に配置され障子３の召合框３４を係止する屋外側枠部２４Ａと、屋内側に配置され躯体Ｋが取り付けられる屋内側枠部２４Ｂと、を有している。
【００５９】
屋外側枠部２４Ａには、左右方向の閉鎖方向に向けて突出するとともに、上下方向に延びるフランジ２４１，２４２が設けられている。フランジ２４１，２４２は、この順に屋外側から屋内側に配置されている。フランジ２４１は網戸５の端部が係止可能となっている。
【００６０】
屋内側枠部２４Ｂには、屋外側枠部２４Ａから左右方向の閉鎖方向に向けて突出するとともに、上下方向に延びる躯体Ｋを固定するためのフランジ２４３が設けられている。
【００６１】
方立２５は、第２縦枠２４に支持される躯体Ｋの第１縦枠２３側の端部を支持する方立形材２５Ａを有している。
【００６２】
方立形材２５Ａは、板面が屋内側を向く内板部２５１と、屋外側端部に形成され障子３の閉鎖方向の移動を規制するストッパー部２５２と、内板部２５１の第１縦枠２３側の端部に設けられるカバー係止部２５３と、を有している。
【００６３】
方立形材２５Ａにおける第１縦枠２３側には、方立カバー２５Ｂが係合されている。
【００６４】
方立カバー２５Ｂは、合成樹脂等の材料により形成されている。方立カバー２５Ｂは、ねじ固定や嵌め合わせ等により方立２５の屋内側枠部２３Ｂのストッパー部２５２及びカバー係止部２５３に固定されている。方立カバー２５Ｂの第１縦枠２３を向く側面２５ｃは、開口部２Ａの左右方向の他方側の面を構成している。
【００６５】
方立カバー２５Ｂの屋外側角部には、ヒレ部材２５４が設けられている。ヒレ部材２５４は、屋外側に向かって突出している。ヒレ部材２５４は、上下方向の全体にわたって延在している。ヒレ部材２５４は、障子３の後述する召合框３４の屋内側を向く面３４ａに接触可能に設けられている。
【００６６】
方立カバー２５Ｂの屋内側の角部には、屋内側に向かって突出する方立見切り部２５５が設けられている。
【００６７】
方立見切り部２５５は、板状に形成されている。方立見切り部２５５は、板厚方向を左右方向に向けて配置されている。方立見切り部２５５における開口部２Ａ側を向く面２５５ａは、方立カバー２５Ｂの側面２５ｃに沿って配置されている。方立見切り部２５５は、方立カバー２５Ｂの延在方向（上下方向）にわたって設けられている。
【００６８】
方立見切り部２５５における開口部２Ａ側と反対側を向く面には、壁仕上げ材Ｗの端面ｗ１が当接配置されている。
【００６９】
上枠アングル４２０、下枠アングル４５０、縦枠見切り部２６２及び方立見切り部２５５により組み立てられる形状は、屋内側から見て四方枠状をなしている。縦枠見切り部２６２及び方立見切り部２５５の上端部において、開口部２Ａ側を向く面に、上枠アングル４２０の端面がそれぞれ当接されて固定されている。縦枠見切り部２６２及び方立見切り部２５５の下端部において、開口部２Ａ側を向く面に、下枠アングル４５０の端面がそれぞれ当接されて固定されている。
【００７０】
図４及び図５に示すように、障子３は、框体３０と、框体３０の内側に配置されるガラス３５と、を有している。
【００７１】
框体３０は、左右方向に延在する上框３１および下框３２と、上下方向に延在する戸先框３３と召合框３４と、を有している。本実施形態では、各框３１〜３４は、アルミニウム部材と合成樹脂部材とが連結されて構成されている。
【００７２】
障子３が全閉した状態（全閉状態）において、上下左右の各框３１〜３４には、それぞれガラス３５を支持するための断面略コの字状の溝（ガラス保持溝Ｇ）が形成されている。ガラス３５の周縁部は、ガラス保持溝Ｇ２内に嵌め込まれている。各框３１〜３４を形成する形の先端部が、屋内側から見てそれぞれ上枠２１、下枠２２、第１縦枠２３及び方立２５の屋外側に隠れるように構成されている。
【００７３】
図６に示すように、障子３は、全開した状態（全開状態）において、戸先框３３が屋内側から見て躯体Ｋの屋外側に隠れるように構成されている。第１領域において全開状態の障子３が引き込まれる際の引き込み代は、障子３の左右方向の寸法と同等以上に設定されている。
【００７４】
次に、戸先框３３の構成及び戸先框３３に設けられた引手部材（引手）５００の構成について詳細に説明する。
【００７５】
図７は、図６の引手部材５００部分の拡大図である。
図７に示すように、戸先框３３は、屋外側に設けられアルミニウムを材料として形成された屋外側形材（金属戸先框）３３Ａと、屋外側形材３３Ａの屋内側に設けられ樹脂を材料として形成された屋内側形材（樹脂戸先框）３３Ｂと、を有している。屋外側形材３３Ａおよび屋内側形材３３Ｂは、上下方向に延在しているとともに、互いに係合し、ガラス３５を係止している。
【００７６】
屋外側形材３３Ａは、第１外板部３３１と、第２外板部３３２と、外連結板部３３３Ａ，３３３Ｂと、を有している。
【００７７】
第１外板部３３１は、板状に形成されている。第１外板部３３１は、板厚方向を屋内外方向に向けて配置されている。第１外板部３３１は、戸先框３３の屋外側の面を形成している。
【００７８】
第１外板部３３１には、屋内外方向に貫通する貫通孔３３４が形成されている。貫通孔３３４には、外用引手３３５が設けられている。外用引手３３５には、屋内側に向かって凹む手かけ部３３６が設けられている。屋外側から障子３を開閉する際には、使用者は、外用引手３３５の手かけ部３３６に手をかけて、障子３を左右方向に開閉することが可能である。
【００７９】
第１外板部３３１における第１縦枠２３（図６参照。以下同じ。）の端部には、屋内側に突出する一対の係止片３３８，３３９が設けられている。係止片３３８，３３９は、戸先框３３の延在方向（上下方向）にわたって設けられている。係止片３３８，３３９は、この順に左右方向の開放方向に向けて配置されている。係止片３３８は、屋外側形材３３Ａにおいて、第１縦枠（対向する縦枠）２３に最も近接して配置されている。
【００８０】
係止片３３８，３３９間には、屋外側に突出した状態で上下方向に延在するパッキン３４０が係止されている。パッキン３４０は、ゴム製の弾性部材から形成され、障子３が全閉状態において、第１縦枠２３のフランジ２３１（図５参照）の屋外側を向く面に対して気密に接触している。
【００８１】
第２外板部３３２は、板状に形成されている。第２外板部３３２は、板厚方向を屋内外方向に向けて配置されている。第２外板部３３２は、第１外板部３３１よりも屋内側に配置されている。
【００８２】
第２外板部３３２には、左右方向の両端部に、屋内側に向かって突出する係止片３４２，３４３（係止片３４２は図８参照。以下同じ。）が設けられている。係止片３４２，３４３は、この順に左右方向の開放方向に向けて配置されている。
【００８３】
外連結板部３３３Ａ，３３３Ｂは、第１外板部３３１と第２外板部３３２とを連結している。外連結板部３３３Ａ，３３３Ｂは、この順に左右方向の開放方向に向けて配置されている。
【００８４】
第１外板部３３１及び第２外板部３３２に設けられた係止片３４２は、外連結板部３３３Ａよりも第１縦枠２３側（左右方向の閉鎖方向）に突出している。これにより、屋外側形材３３Ａには、召合框３４（図６参照。以下同じ。）側に凹む凹部３３ｂが形成されている。
【００８５】
第１外板部３３１、第２外板部３３２及び外連結板部３３３Ａ，３３３Ｂにより、上下方向に延在する屋外側ホローＳ１が形成されている。
【００８６】
第２外板部３３２及び外連結板部３３３Ａには、屋外側ホローＳ１側を向く面に、補強材３４５が設けられている。
【００８７】
補強材３４５は、水平断面視Ｌ字状に形成されている。補強材３４５は、第２外板部３３２に沿って配置される第１面部３４６と、外連結板部３３３Ａに沿って配置される第２面部３４７と、を有している。第１面部３４６と第２面部３４７とは、一体として形成されている。補強材３４５の第１面部３４６は、第２外板部３３２にねじ３４８で固定されている。本実施形態では、補強材３４５は金属製である。
【００８８】
図８は、図７よりも上方位置の横断面図の拡大図である。
図８に示すように、屋内側形材３３Ｂは、第１内板部３５１と、第２内板部３５２Ａ，３５２Ｂと、内連結板部３５３，３５４，３５５，３５６と、を有している。
【００８９】
第１内板部３５１は、板状に形成されている。第１内板部３５１は、板厚方向を屋内外方向に向けて配置されている。
【００９０】
第２内板部３５２Ａ，３５２Ｂは、板状に形成されている。第２内板部３５２Ａ，３５２Ｂは、板厚方向を屋内外方向に向けて配置されている。第２内板部３５２Ａ，３５２Ｂは、第１内板部３５１よりも屋内側に配置されている。第２内板部３５２Ａ，３５２Ｂは、この順に左右方向の開放方向に向けて配置されている。
【００９１】
内連結板部３５３，３５４，３５５，３５６は、第１内板部３５１と第２内板部３５２Ａとを連結している。内連結板部３５３，３５４，３５５，３５６は、この順に左右方向の開放方向に向けて配置されている。
【００９２】
内連結板部３５３，３５４，３５５，３５６は、板状に形成されている。内連結板部３５３，３５４，３５６は、板厚方向を左右方向に向けて配置されている。内連結板部３５５は、屋内側に向かうにしたがって次第に左右方向の開放方向に向けて配置されている。
【００９３】
内連結板部３５３における第１縦枠２３側を向く端面３５３ａは、戸先框３３における左右方向の閉鎖方向（第１縦枠２３側に）に配置された端面をなしている。
【００９４】
内連結板部３５３の屋外側の端部には、戸先框３３側に向かって突出する係止片３５７が設けられている。係止片３５７は、屋外側形材３３Ａの係止片３４２に係止されている。
【００９５】
内連結板部３５３の屋内側の端部と内連結板部３５４の屋内側の端部とは、第２内板部３５２Ａで連結されている。
【００９６】
内連結板部３５４及び内連結板部３５５の屋内外方向の中間どうしは、第４連結板部３５９で連結されている。内連結板部３５５及び内連結板部３５６の屋内側の端部どうしは、第２内板部３５２Ｂで連結されている。
【００９７】
内連結板部３５６の屋外側の端部には、第１縦枠２３側に向かって突出する係止片３６０が設けられている。係止片３６０は、屋外側形材３３Ａの係止片３４３に係止されている。
【００９８】
図９は、片引き戸１の引手部材５００部分の斜視図である。
図９に示すように、戸先框３３には、上下方向の中間（区間Ａと称する）で屋内側形材３３Ｂが切り欠かれた切欠き部３３ｄが設けられている。引手部材５００は、切欠き部３３ｄの上部に設けられている。
【００９９】
図７及び図８に示すように、切欠き部３３ｄは、屋内側形材３３Ｂの端面３５３ａから召合框３４側に向かって切りかかれた形状をなしている。換言すると、屋内側形材３３Ｂにおける内連結板部３５４よりも第１縦枠２３側の部分が切り欠かれて設けられていない。つまり、区間Ａでは、第１内板部３５１の内連結板部３５４よりも第１縦枠２３側の部分、内連結板部３５３及び第２内板部３５２Ａが設けられていない。
【０１００】
図９に示すように、屋内側形材３３Ｂの切欠き部３３ｄには、キャップ３７０が設けられている。キャップ３７０は、見込み面部３７１と、屋内側面部３７２と、上面部３７３と、下面部３７４と、を有している。見込み面部３７１、屋内側面部３７２、上面部３７３及び下面部３７４は、一体として形成されている。
【０１０１】
見込み面部３７１とは、内連結板部３５４の第１縦枠２３側を向く面に沿って配置されている。屋内側面部３７２は、見込み面部３７１の屋内側の端部から第１縦枠２３側に向かって突出している。
【０１０２】
上面部３７３は、見込み面部３７１及び屋内側面部３７２の上端部に設けられている。上面部３７３は、屋内側形材３３Ｂにおける切欠き部３３ｄよりも上方部分の下端を閉塞している。
【０１０３】
下面部３７４は、見込み面部３７１及び屋内側面部３７２の下端部に設けられている。下面部３７４は、屋内側形材３３Ｂにおける切欠き部３３ｄよりも下方部分の上端を閉塞している。
【０１０４】
図７及び図９に示すように、引手部材５００は、戸先框３３の端面３５３ａから第１縦枠２３側に突出するように設けられている。
【０１０５】
図７に示すように、引手部材５００は、引手芯材部（引手本体）５０１と、引手カバー部５１１と、を有している。
【０１０６】
引手芯材部５０１は、把持可能な形状をなしている。引手芯材部５０１、取付部５０２と、屈曲部５０３と、手かけ部５０４と、を有している。本実施形態では、取付部５０２、屈曲部５０３及び手かけ部５０４は、金属製で一体として形成されている。
【０１０７】
取付部５０２は、戸先框３３の外連結板部３３３Ａの第１縦枠２３に対向する対向面３３３ｃ及び内連結板部３５４の第１縦枠２３に対向する対向面３５４ｃに沿って配置されている。取付部５０２は、板状に形成されている。取付部５０２は、板厚方向の左右方向に向けて配置されている。
【０１０８】
取付部５０２に挿通されたねじ５０５は、外連結板部３３３Ａに挿通され、補強材３４５の第２面部３４７に固定されている。
【０１０９】
屈曲部５０３は、取付部５０２の屋内側の端部から第１縦枠２３側に向かって延びている。屈曲部５０３は、板状に形成されている。屈曲部５０３は、板厚方向の屋内外方向に向けて配置されている。
【０１１０】
手かけ部５０４は、屈曲部５０３の第１縦枠２３側の端部から屋外側に向かって延びている。手かけ部５０４は、板状に形成されている。手かけ部５０４は、板厚方向の左右方向に向けて配置されている。
【０１１１】
引手カバー部５１１は、樹脂製で引手芯材部５０１を覆っている。引手カバー部５１１は、引手芯材部５０１の取付部５０２の屋内側の部分、屈曲部５０３及び手かけ部５０４を覆っている。
【０１１２】
引手部材５００の手かけ部５０４は、戸先框３３の端面３５３ａ及び係止片３３８における第１縦枠２３側を向く面（第１縦枠２３側に最も近接する面）よりも、第１縦枠２３側に突出するように配置されている。
【０１１３】
図８に示すように、障子３の全開状態において、戸先框３３の端面３５３ａは方立カバー２５Ｂの側面２５ｃよりも召合框３４側に配置されている。このため、屋内側からは、戸先框３３が方立２５や壁（躯体Ｋ及び内装仕上げ材Ｗ）に隠れて見えない。この状態で、図７に示すように、戸先框３３に設けられた引手部材５００の手かけ部５０４は、戸先框３３の端面３５３ａ及び係止片３３８よりも第１縦枠２３側に突出して、方立カバー２５Ｂの側面２５ｃと同一平面上に配置されている。よって、使用者は障子３を閉じる際には、屋内側から引手部材５００の手かけ部５０４に手Ｈをかけることができる。
【０１１４】
本実施形態では、引手部材５００は、床面から１０００ｍｍ程度の高さに設けられ、引手部材５００の上下方向の長さは１５０〜１８０ｍｍ程度とされている。
【０１１５】
このように構成された片引き戸１では、障子３の戸先框３３には、戸先框３３の端面３５３ａ及び係止片３３８における第１縦枠２３側を向く面よりも、第１縦枠２３側に突出する引手部材５００が設けられている。よって、障子３の引き残しが無いように設置されても、使用者は戸先框３３の端面３５３ａ及び係止片３３８よりも第１縦枠２３側に配置された引手部材５００に手をかけることができるため、障子３を容易に引き出すことができる。
【０１１６】
また、戸先框３３が屋内側から見て方立２５の屋外側に隠れて配置されていても、使用者は屋内側から引手部材５００に手をかけることができるため、障子３を確実に引き出すことができる。
【０１１７】
また、屋外側形材３３Ａと屋内側形材３３Ｂとが連結された片引き戸１において、屋内側形材３３Ｂに切欠き部３３ｄを設けて、切欠き部３３ｄに金属製の引手芯材部５０１を設けることで、戸先框３３の端面３５３ａよりも第１縦枠２３側に突出する引手部材５００を取り付けることができる。
【０１１８】
また、引手芯材部５０１を覆う樹脂製の引手カバー部５１１が設けられているため、引手部材５００を把持した際の感触を良好とすることができる。
【０１１９】
また、引手部材５００は戸先框３３の上下方向の一部にのみ（区間Ａにのみ）設けられているため、引手部材５００が目立たず、外観がよい。
【０１２０】
なお、上述した実施の形態において示した各構成部材の諸形状や組み合わせ等は一例であって、本発明の主旨から逸脱しない範囲において設計要求等に基づき種々変更可能である。
【０１２１】
例えば、上記に示す実施形態では、屋内側形材３３Ｂを切りかかれて引手部材５００が設けられているが、本発明はこれに限られず、金属戸先框を切りかかれて引手が設けられていてもよい。
【０１２２】
また、上記に示す実施形態では、引手芯材部５０１を覆う樹脂製の引手カバー部５１１が設けられているが、本発明はこれに限られず、引手芯材部５０１が露出する構成であってもよい。
【０１２３】
また、上記に示す実施形態では、引手部材５００は戸先框３３の上下方向の一部にのみ設けられているが、本発明はこれに限られず、戸先框３３の上下方向の全体にわたって設けられていてもよい。
【符号の説明】
【０１２４】
１…片引き戸（建具）
２…枠体
２Ａ…開口部
３…障子
５…網戸
２１…上枠
２１Ｃ…上枠カバー
２２…下枠
２２Ｃ…下枠カバー
２３…第１縦枠（戸先框側縦枠）
２４…第２縦枠
２５…方立
２５Ｂ…方立カバー
２６…縦枠カバー
３０…框体
３１…上框
３２…下框
３３…戸先框
３３Ａ…屋外側形材（金属戸先框）
３３Ｂ…屋内側形材（樹脂戸先框）
３３ｄ…切欠き部
３４…召合框
２５５…方立見切り部
２６２…縦枠見切り部
３３３ｃ…対向面
３５３ａ…端面
３５４ｃ…対向面
４２０…上枠アングル
４５０…下枠アングル
５００…引手部材（引手）
５０１…引手芯材部（引手本体）
５１１…引手カバー部
Ｆ…床仕上げ材
Ｔ…天井仕上げ材
Ｗ…壁仕上げ材
【図１】
2019178501.tif 000003
【図２】
2019178501.tif 000004
【図３】
2019178501.tif 000005
【図４】
2019178501.tif 000006
【図５】
2019178501.tif 000007
【図６】
2019178501.tif 000008
【図７】
2019178501.tif 000009
【図８】
2019178501.tif 000010
【図９】
2019178501.tif 000011